(57)【要約】【課題】メイン宝石を本来の輝き以上に輝かせることができる指輪を提供する。【解決手段】指輪１０Ａは、指を挿入するリング状の指輪本体１１と、この指輪本体１１に設けられたメイン宝石支持部１４と、このメイン宝石支持部１４に支持され、外面側及び内面側の両側より光が入射可能に支持された大粒のルビー１５と、リング状の指輪本体１１に設けられ、且つ、メイン宝石支持部１４の少なくとも真下を含む下方に配置されたサブ宝石支持部１６と、このサブ宝石支持部１６に隙間なく１列に支持された複数の小粒のダイヤモンド１７とを備えた。【選択図】　　　図１
2004105598.tif 000002
【特許請求の範囲】
【請求項１】
指を挿入する指輪本体と、この指輪本体に設けられたメイン宝石支持部と、このメイン宝石支持部に支持され、外面側及び内面側の両側より光が入射可能に支持された大粒のメイン宝石と、前記指輪本体に設けられ、且つ、前記メイン宝石支持部の少なくとも真下を含む下方に配置されたサブ宝石支持部と、このサブ宝石支持部に支持された複数の小粒のサブ宝石とを備えたことを特徴とする指輪。
【請求項２】
装身具本体と、この装身具本体に設けられたメイン宝石支持部と、このメイン宝石支持部に支持され、外面側及び内面側の両側より光が入射可能に支持された大粒のメイン宝石と、前記装身具本体に設けられ、且つ、前記メイン宝石支持部の少なくとも真下を含む下方に配置されたサブ宝石支持部と、このサブ宝石支持部に支持された複数の小粒のサブ宝石とを備えたことを特徴とする装身具。
【発明の詳細な説明】
【０００１】
【発明の属する技術分野】
本発明は、大小複数の宝石を用いた指輪及び装身具（装飾品）に関する。
【０００２】
【従来の技術】
この種の指輪として、図８に示すものがある（例えば、特許文献１参照。）。
【０００３】
この指輪１は、図８（ａ），（ｂ）に示すように、指を挿入するリング状の指輪本体２と、この指輪本体２に固定された複数の宝石保持爪３と、この複数の宝石保持爪３に支持された大粒のダイヤモンド４と、指輪本体２に固定され、且つ、複数の宝石保持爪３の真下に配置された宝石支持部５と、この宝石支持部５に支持された小粒のブルーサファイア６とを備えている。
【０００４】
この指輪１によれば、ダイヤモンド４に表面側から外光が入射すると共に、ブルーサファイア６からの反射光であって該ブルーサファイア６の色合いを強く受けた光がダイヤモンド４の裏面側から入射するため、ダイヤモンド４がブルーサファイア６の色を強く受けた色合いに見える。
【０００５】
【特許文献１】
特開平７−２８４４０６号公報
【０００６】
【発明が解決しようとする課題】
前記従来の指輪１では、ダイヤモンド４の色調をブルーサファイア６で可変することはできるが、ブルーサファイア６からの反射光の量があまり多く期待できないため、ダイヤモンド４をその本体の輝き以上に輝かせることができないという問題があった。
【０００７】
そこで、本発明は、前記した課題を解決すべくなされたものであり、メイン宝石の輝きを増強させることができる指輪及び装身具を提供することを目的とする。
【０００８】
【課題を解決するための手段】
請求項１の発明の指輪は、指を挿入する指輪本体と、この指輪本体に設けられたメイン宝石支持部と、このメイン宝石支持部に支持され、外面側及び内面側の両側より光が入射可能に支持された大粒のメイン宝石と、前記指輪本体に設けられ、且つ、前記メイン宝石支持部の少なくとも真下を含む下方に配置されたサブ宝石支持部と、このサブ宝石支持部に支持された複数の小粒のサブ宝石とを備えたことを特徴とする。
【０００９】
この指輪では、メイン宝石に表面側から外光が入射すると共に、複数のサブ宝石からの各反射光がメイン宝石の裏面側からそれぞれ入射し、メイン宝石が本来の輝き以上に輝くことになる。また、鑑賞者にはメイン宝石のみならず複数のサブ宝石も見え、サブ宝石自体にも装飾機能があると共に、複数のサブ宝石は小粒な宝石で足りる。
【００１０】
前記請求項１記載の指輪において、前記複数のサブ宝石をダイヤモンドにすれば、各ダイヤモンドは他の宝石に比べて反射光の量が格段に多いことからメイン宝石が最大限に輝く。また、前記複数のサブ宝石を１列にほぼ隙間なく配置すれば、サブ宝石自体の装飾機能が増強される。さらに、前記複数のサブ宝石を複数列にほぼ隙間なく配置すれば、サブ宝石からのメイン宝石への反射光がほぼ複数倍になる。さらに、前記複数のサブ宝石をメイン宝石を中心とする円周上にほぼ隙間なく配置すれば、サブ宝石からの反射光が効率良くメイン宝石に入射する。
【００１１】
請求項２の発明の装身具は、装身具本体と、この装身具本体に設けられたメイン宝石支持部と、このメイン宝石支持部に支持され、外面側及び内面側の両側より光が入射可能に支持された大粒のメイン宝石と、前記装身具本体に設けられ、且つ、前記メイン宝石支持部の少なくとも真下を含む下方に配置されたサブ宝石支持部と、このサブ宝石支持部に支持された複数の小粒のサブ宝石とを備えたことを特徴とする。
【００１２】
この装身具では、メイン宝石に表面側から外光が入射すると共に、複数のサブ宝石からの各反射光がメイン宝石の裏面側からそれぞれ入射し、メイン宝石が本来の輝き以上に輝くことになる。また、鑑賞者にはメイン宝石のみならず複数のサブ宝石も見え、サブ宝石自体にも装飾機能があると共に、複数のサブ宝石は小粒な宝石で足りる。
【００１３】
【発明の実施の形態】
以下、本発明の実施形態を図面に基づいて説明する。
【００１４】
図１及び図２は本発明の第１実施形態を示し、図１（ａ）は指輪の平面図、図１（ｂ）は指輪の正面図、図１（ｃ）は指輪の側面図、図２（ａ）はダイヤモンドの支持部分を示す断面図、図２（ｂ）はルビーとダイヤモンドとの配置関係を示す概略側面図である。
【００１５】
図１（ａ）〜（ｃ）に示すように、指輪１０Ａは、指を挿入するリング状で、且つ、プラチナ製の指輪本体１１を有し、この指輪本体１１にはこれより大径の２条の外周リング部１２が一体に設けられている。
【００１６】
２条の外周リング部１２の中央には左右一対の枠体１３，１３が架設され、この左右一対の枠体１３，１３と２条の外周リング部１２によってメイン宝石支持部１４が形成されている。このメイン宝石支持部１４にはメイン宝石である大粒のルビー１５が挟み込みによって支持されており、このルビー１５は鑑賞者から真正面に見える外面側及び鑑賞者の真正面から見えない内面側の両側より光が入射可能に支持されている。
【００１７】
また、メイン宝石支持部１４の真下を含む指輪本体１１にはサブ宝石支持部１６が形成されており、このサブ宝石支持部１６はリング状の指輪本体１１の約半周に亘って形成されている。サブ宝石支持部１６は、図２（ａ）に示すように、表面側が開口された凹溝であり、この凹溝１６にサブ宝石である小粒のダイヤモンド１７が複数はめ込みによって支持されている。複数のダイヤモンド１７は、１列で、且つ、一直線状にほぼ隙間なく配置されている。
【００１８】
この指輪１０Ａでは、ルビー１５に表面側から外光が入射すると共に、図２（ｂ）に示すように、複数のダイヤモンド１７からの各反射光及び各ダイヤモンド１７の底面側からの入射光がルビー１５の裏面側からそれぞれ入射し、ルビー１５が本来の輝き以上に輝くことになる。これにより、ルビー１５の輝きを増強（増大）させることができる。つまり、複数のダイヤモンド１７の輝きを利用してルビー１５を本来以上に輝かせることができる。尚かつ、メイン宝石であるルビー１５の本来の色を変化させることはなく、ルビー１５を本来以上に輝かせることができる。
【００１９】
また、鑑賞者にはルビー１５のみならず複数のダイヤモンド１７も見え、ダイヤモンド１７自体にも装飾機能があると共に、複数のダイヤモンド１７は小粒なもので足りるため、指輪１０Ａを低コストに抑えつつ豪華に見せることができる。
【００２０】
さらに、複数のサブ宝石はダイヤモンド１７であるので、複数のダイヤモンド１７は他の宝石や一つの宝石に比べて反射光の量が多く、ルビー１５を最大限に輝かせることができる。また、小粒なダイヤモンド１７を複数配置すれば良いため、コストを抑えつつ豪華さを演出することができる。さらに、複数のダイヤモンド１７が１列にほぼ隙間なく配置されているので、ダイヤモンド１７自体の装飾機能を増大させることができる。
【００２１】
図３は本発明の第２実施形態を示し、図３（ａ）は指輪の平面図、図３（ｂ）は指輪の正面図、図３（ｃ）は指輪の側面図である。
【００２２】
図３（ａ）〜（ｃ）に示すように、指輪１０Ｂは、指を挿入するプラチナ製の指輪本体２１を有し、この指輪本体２１は、大略リング状のリング部２１ａと、このリング部２１ａに一体的に形成され、上から見て略Ｓ字の螺旋状に折り曲げられた螺旋部２１ｂとから構成されている。この螺旋部２１ｂには四角枠状のメイン宝石支持部２４がろう付け等により固定されている。
【００２３】
このメイン宝石支持部２４にメイン宝石である大粒のブルーサファイア２５が挟み込みによって支持されており、このブルーサファイア２５は鑑賞者から真正面に見える外面側及び鑑賞者の真正面から見えない内面側の両側より光が入射可能に支持されている。
【００２４】
また、螺旋部２１ｂの全域にサブ宝石支持部２６が形成されている。螺旋部２１ｂは、メイン宝石支持部２４の真下を含む箇所も通っていることからサブ宝石支持部２６はメイン宝石支持部２４の真下を含む下方にも配置されている。サブ宝石支持部２６の構成は、前記第１実施形態のものと同一であり、サブ宝石支持部２６には複数のダイヤモンド１７が支持されている。複数のダイヤモンド１７は、１列で、且つ、螺旋状にほぼ隙間なく配置されている。さらに、ブルーサファイア２５の下方に配置された複数のダイヤモンド１７は、ブルーサファイア２５を中心とする円周上にほぼ隙間なく配置されている。
【００２５】
この指輪１０Ｂでも、前記第１実施形態と同様な作用により、ブルーサファイア２５が本来の輝き以上に輝くことになるため、ブルーサファイア２５の輝きを増強させることができる。また、鑑賞者にはブルーサファイア２５のみならず複数のダイヤモンド１７も見えるため、ダイヤモンド１７自体にも装飾機能があると共に、複数のダイヤモンド１７は小粒なもので足りるため、指輪１０Ｂを低コストに抑えつつ豪華に見せることができる。
【００２６】
さらに、複数のダイヤモンド１７は、ブルーサファイア２５を中心とする円周上にほぼ隙間なく配置されているので、ダイヤモンド１７からの反射光を効率良くブルーサファイア２５に入射することができ、ブルーサファイア２５の輝きを一段と増強させることができる。尚かつ、メイン宝石であるブルーサファイア２５の本来の色を変化させることはなく、ブルーサファイア２５を本来以上に輝かせることができる。
【００２７】
図４は本発明の第３実施形態を示し、図４（ａ）は指輪の平面図、図４（ｂ）は指輪の正面図、図４（ｃ）は指輪の側面図である。
【００２８】
図４（ａ）〜（ｃ）に示すように、指輪１０Ｃは、指を挿入するリング状で、且つ、プラチナ製の指輪本体３１を有し、この指輪本体３１にはこれより大径の２条の外周リング部３２が設けられている。
【００２９】
２条の外周リング部３２の中央は一部切断され、この切断部分にハート枠形のメイン宝石支持部３４が固定されている。このメイン宝石支持部３４にメイン宝石である大粒のルビー３５がふく輪止め等の手段によって支持されており、ルビー３５はハート形を有し、鑑賞者から真正面に見える外面側及び鑑賞者の真正面から見えない内面側の両側より光が入射可能に支持されている。２条の外周リング部３２とメイン宝石支持部３４との接合部分の４箇所にはダイヤモンド３８がそれぞれ取り付けられている。
【００３０】
また、メイン宝石支持部３４の真下を含む指輪本体３１にはサブ宝石支持部３６が形成されており、このサブ宝石支持部３６はリング状の指輪本体３１の約半周に亘って形成されている。サブ宝石支持部３６の構成は、前記第１実施形態と同一であり、サブ宝石支持部３６に複数のダイヤモンド１７が支持されている。複数のダイヤモンド１７は、１列で、且つ、一直線状にほぼ隙間なく配置されている。
【００３１】
この指輪１０Ｃでも、前記第１実施形態と同様な作用により、ルビー３５が本来の輝き以上に輝くことになるため、ルビー３５の輝きを増強させることができる。尚かつ、メイン宝石であるルビー３５の本来の色を変化させることはなく、ルビー３５を本来以上に輝かせることができる。
【００３２】
また、鑑賞者にはルビー３５のみならず複数のダイヤモンド１７も見えるため、ダイヤモンド１７自体にも装飾機能があると共に、複数のダイヤモンド１７は小粒なもので足りるため、指輪１０Ｃを低コストに抑えつつ豪華に見せることができる。
【００３３】
図５は本発明の第４実施形態を示し、図５（ａ）は指輪の平面図、図５（ｂ）は指輪の正面図、図５（ｃ）は指輪の側面図である。
【００３４】
図５（ａ）〜（ｃ）に示すように、指輪１０Ｄは、指を挿入するリング状で、且つ、プラチナ製の指輪本体４１を有し、この指輪本体４１にはこれより大径の１条の外周リング部４２が一体に設けられている。
【００３５】
指輪本体４１と外周リング部４２とは互いに中央部分で交差するように若干ねじれた形状を有している。１条の外周リング部３２の中央部分には四角枠状のメイン宝石支持部４４が固定されている。このメイン宝石支持部４４にメイン宝石である大粒のグリーンガーネット４５がはめ込みによって支持されており、グリーンガーネット４５は鑑賞者から真正面に見える外面側及び鑑賞者の真正面から見えない内面側の両側より光が入射可能に支持されている。
【００３６】
また、メイン宝石支持部４４の真下を含む指輪本体４１にはサブ宝石支持部４６が形成されており、このサブ宝石支持部４６はリング状の指輪本体４１の約半周に亘って形成されている。サブ宝石支持部４６の構成は、前記第１実施形態と同一であり、サブ宝石支持部４６に複数のダイヤモンド１７が支持されている。複数のダイヤモンド１７は、１列で、且つ、ほぼ一直線状にほぼ隙間なく配置されている。
【００３７】
この指輪１０Ｄでも、前記第１実施形態と同様な作用により、グリーンガーネット４５が本来の輝き以上に輝くことになり、グリーンガーネット４５の輝きを増強させることができる。尚かつ、メイン宝石であるグリーンガーネット４５の本来の色を変化させることはなく、グリーンガーネット４５を本来以上に輝かせることができる。
【００３８】
また、鑑賞者にはグリーンガーネット４５のみならず複数のダイヤモンド１７も見えるため、ダイヤモンド１７自体にも装飾機能があると共に、複数のダイヤモンド１７は小粒なもので足りるため、指輪１０Ｄを低コストに抑えつつ豪華に見せることができる。
【００３９】
図６は本発明の第５実施形態を示し、図６（ａ）は指輪の平面図、図６（ｂ）は図６（ａ）にあってアレキサンドライト及び外周リング部によって隠れている指輪本体を示す説明図、図６（ｃ）の指輪の正面図、図６（ｄ）は指輪の側面図である。
【００４０】
図６（ａ）〜（ｄ）に示すように、指輪１０Ｅは、指を挿入するリング状で、且つ、プラチナ製の指輪本体５１を有し、この指輪本体５１にはこれより大径の１条の外周リング部５２が一体に設けられている。
【００４１】
外周リング部５２は指輪本体５１より幅広であり、長手方向に緩いＳ字状のスリット５８が形成されている。外周リング部５２の中央部分にはスリット５８に連通し、且つ、円形状のメイン宝石支持部５４が形成されている。このメイン宝石支持部５４にメイン宝石である大粒のアレキサンドライト５５が挟み込みによって支持されており、アレキサンドライト５５は鑑賞者から真正面に見える外面側及び鑑賞者の真正面から見えない内面側の両側より光が入射可能に支持されている。
【００４２】
また、メイン宝石支持部５４の真下を含む指輪本体５１にはサブ宝石支持部５６が形成されており、このサブ宝石支持部５６はリング状の指輪本体５１の約半周に亘って形成されている。サブ宝石支持部５６の構成は、前記第１実施形態と同一であり、サブ宝石支持部５６に複数のダイヤモンド１７が支持されている。複数のダイヤモンド１７は、１列で、且つ、緩いＳ字状にほぼ隙間なく配置されている。
【００４３】
この指輪１０Ｅでも、前記第１実施形態と同様な作用により、アレキサンドライト５５が本来の輝き以上に輝くことになり、アレキサンドライト５５の輝きを増強させることができる。尚かつ、メイン宝石であるアレキサンドライト５５の本来の色を変化させることはなく、アレキサンドライト５５を本来以上に輝かせることができる。
【００４４】
また、外周リング部５２のスリット５８より鑑賞者にはアレキサンドライト５５のみならず複数のダイヤモンド１７も見えるため、ダイヤモンド１７自体にも装飾機能があると共に、複数のダイヤモンド１７は小粒なもので足りるため、指輪１０Ｅを低コストに抑えつつ豪華に見せることができる。
【００４５】
図７は本発明の第６実施形態を示し、図７（ａ）は指輪の平面図、図７（ｂ）は図７（ａ）にあってピンクサファイア及びメイン宝石支持部によって隠れている指輪本体を示す説明図、図７（ｃ）は指輪の正面図、図７（ｄ）は指輪の側面図である。
【００４６】
図７（ａ）〜（ｄ）に示すように、指輪１０Ｆは、指を挿入するリング状で、且つプラチナ製の指輪本体６１を有し、このリング状の指輪本体６１の両端は、図７（ｂ）に示すように、オーバーラップ状態で固定されている。
【００４７】
指輪本体６１のオーバーラップ状態である両端にはメイン宝石支持部６４が取り付けられており、このメイン宝石支持部６４は上方に延びる複数の係止爪形状を有している。このメイン宝石支持部６４にメイン宝石である大粒のピンクサファイア６５が爪止めによって支持されており、ピンクサファイア６５は鑑賞者から真正面に見える外面側及び鑑賞者の真正面から見えない内面側の両側より光が入射可能に支持されている。
【００４８】
また、メイン宝石支持部６４の真下を含む指輪本体６１にはサブ宝石支持部６６が形成されており、このサブ宝石支持部６６はリング状の指輪本体６１の約半周に亘って形成されている。サブ宝石支持部６６の構成は、前記第１実施形態と同一であり、サブ宝石支持部６６に複数のダイヤモンド１７が支持されている。複数のダイヤモンド１７は、ピンクサファイア６５の下方位置では２列であり、且つ、ほぼ一直線状にほぼ隙間なく配置されている。
【００４９】
この指輪１０Ｅでも、前記第１実施形態と同様な作用により、ピンクサファイア６５が本来の輝き以上に輝くことになり、ピンクサファイア６５の輝きを増強させることができる。尚かつ、メイン宝石であるピンクサファイア６５の本来の色を変化させることはなく、ピンクサファイア６５を本来以上に輝かせることができる。
【００５０】
また、鑑賞者にはピンクサファイア６５のみならず複数のダイヤモンド１７も見えるため、ダイヤモンド１７自体にも装飾機能があると共に、複数のダイヤモンド１７は小粒なもので足りるため、指輪１０Ｅを低コストに抑えつつ豪華に見せることができる。
【００５１】
さらに、複数のダイヤモンド１７は、サブ宝石支持部６６のオーバーラップ部分で２列にほぼ隙間なく配置されているので、ダイヤモンド１７からのピンクサファイア６５への反射光をほぼ２倍にすることができ、ピンクサファイア６５の輝きをより一段と増強させることができる。
【００５２】
以上、第１〜第６実施形態の指輪１０Ａ〜１０Ｆについて説明したが、これら各実施形態を服や身体等の所定位置に所定手段を介して装着するブローチ、ペンダント、ブレスレット、イヤリング、帯留等の装身具（装飾品）に適用すれば、前記各実施形態と同様の作用効果を奏する。
【００５３】
尚、前記各実施形態のメイン宝石は、第１及び第３実施形態ではルビー１５，３５、第２実施形態ではブルーサファイア２５、第４実施形態ではグリーンガーネット４５、第５実施形態ではアレキサンドライト５５、第６実施形態ではピンクサファイア６５であるが、これら以外の各種宝石であっても良いことは勿論である。また、前記各実施形態のサブ宝石は全てダイヤモンド１７であるが、ダイヤモンド１７以外の宝石でも良い。
【００５４】
【発明の効果】
以上説明したように、請求項１の発明の指輪によれば、メイン宝石に表面側から外光が入射すると共に、複数のサブ宝石からの各反射光がメイン宝石の裏面側からそれぞれ入射するため、メイン宝石が本来の輝き以上に輝くことになる。これにより、メイン宝石の輝きを増強させることができる。また、鑑賞者にはメイン宝石のみならず複数のサブ宝石も見えるため、サブ宝石自体にも装飾機能があると共に、複数のサブ宝石は小粒な宝石で足りるため、指輪を低コストに抑えつつ豪華に見せることができる。
【００５５】
請求項２の発明の装身具によれば、メイン宝石に表面側から外光が入射すると共に、複数のサブ宝石からの各反射光がメイン宝石の裏面側からそれぞれ入射するため、メイン宝石が本来の輝き以上に輝くことになる。これにより、メイン宝石の輝きを増強させることができる。また、鑑賞者にはメイン宝石のみならず複数のサブ宝石も見えるため、サブ宝石自体にも装飾機能があると共に、複数のサブ宝石は小粒な宝石で足りるため、装身具を低コストに抑えつつ豪華に見せることができる。
【図面の簡単な説明】
【図１】本発明の第１実施形態を示し、（ａ）は指輪の平面図、（ｂ）は指輪の正面図、（ｃ）は指輪の側面図である。
【図２】本発明の第１実施形態を示し、（ａ）はサブ宝石の支持部分を示す断面図、（ｂ）はメイン宝石とサブ宝石との配置関係を示す概略側面図である。
【図３】本発明の第２実施形態を示し、（ａ）は指輪の平面図、（ｂ）は指輪の正面図、（ｃ）は指輪の側面図である。
【図４】本発明の第３実施形態を示し、（ａ）は指輪の平面図、（ｂ）は指輪の正面図、（ｃ）は指輪の側面図である。
【図５】本発明の第４実施形態を示し、（ａ）は指輪の平面図、（ｂ）は指輪の正面図、（ｃ）は指輪の側面図である。
【図６】本発明の第５実施形態を示し、（ａ）は指輪の平面図、（ｂ）は図６（ａ）にあってアレキサンドライト及び外周リング部によって隠れている指輪本体を示す説明図、（ｃ）の指輪の正面図、（ｄ）は指輪の側面図である。
【図７】本発明の第６実施形態を示し、（ａ）は指輪の平面図、（ｂ）は図７（ａ）にあってピンクサファイア及びメイン宝石支持部によって隠れている指輪本体を示す説明図、（ｃ）は指輪の正面図、（ｄ）は指輪の側面図である。
【図８】従来例を示し、（ａ）は指輪の側面図、（ｂ）は指輪の断面図である。
【符号の説明】
１０Ａ〜１０Ｆ　指輪
１１，２１，３１，４１，５１，６１　指輪本体
１４，２４，３４，４４，５４，６４　メイン宝石支持部
１５，３５　ルビー（メイン宝石）
１６，２６，３６，４６，５６，６６　サブ宝石支持部
１７　ダイヤモンド
２５　ブルーサファイア（メイン宝石）
４５　グリーンガーネット（メイン宝石）
５５　アレキサンドライト（メイン宝石）
６５　ピンクサファイア（メイン宝石）
【図１】
2004105598.tif 000003
【図２】
2004105598.tif 000004
【図３】
2004105598.tif 000005
【図４】
2004105598.tif 000006
【図５】
2004105598.tif 000007
【図６】
2004105598.tif 000008
【図７】
2004105598.tif 000009
【図８】
2004105598.tif 000010